(57)【要約】【課題】  野外にも設置可能なゴルフボール洗浄装置を低コストで提供する。【解決手段】  螺旋状の搬送溝Ｍを凹設した回転体１０の回転により搬送溝内のボールＢを軸線方向に移動させることにより、搬送溝に設けたブラシ１５の接触によりボールを洗浄するゴルフボール洗浄装置において、回転体を収容した筐体１の上面に回転体の搬送溝の端部に連通する一対のボール通過窓３、３を設けると共に、回転体の両端に位置する搬送溝の端部をその凹設深さが徐々に浅くなって回転体の外周面に達するように構成することにより、回転体の回転角度によりボール通過窓に搬送溝の端部または搬送溝が凹設されていない外周面が選択的に位置するようにし、非回転時には搬送溝が凹設されていない外周面がボール通過窓を塞ぐ回転角度で止まるように回転体の停止位置を設定する。【選択図】      図１
0003128865.tif 000002
【実用新案登録請求の範囲】
【請求項１】
回転体の回転方向への移動を規制されたボールを回転体の外周に凹設した螺旋状の搬送溝に嵌入し、上記回転体の回転により回転体の軸線方向に移動させることにより、搬送溝に設けたブラシの接触によりボールを洗浄するゴルフボール洗浄装置において、回転体を収容した筐体の上面に回転体の搬送溝の端部に連通する一対のボール通過窓を設けると共に、回転体の両端に位置する搬送溝の端部をその凹設深さが徐々に浅くなって回転体の外周面に達するように構成することにより、回転体の回転角度によりボール通過窓に搬送溝の端部または搬送溝が凹設されていない外周面が選択的に位置するようにし、非回転時には搬送溝が凹設されていない外周面がボール通過窓を塞ぐ回転角度で止まるように回転体の停止位置を設定したことを特徴とするゴルフボール洗浄装置。
【請求項２】
回転体をその非回転時には搬送溝が凹設されていない外周面がボール通過窓を塞ぐ回転角度で止まるよう、回転体の偏心位置に重りを設けた請求項１記載のゴルフボール洗浄装置。
【請求項３】
回転体に手回しハンドルを設けると共に、上記ハンドルがその重量により垂下する位置において回転体の搬送溝が凹設されていない外周面がボール通過窓を塞ぐ回転角度で止まるよう設定した請求項２記載のゴルフボール洗浄装置。
【請求項４】
回転体の搬送溝に嵌入されたボールの頭部を覆う、内部にブラシを設けた樋状の規制路を回転体を収容した筐体の天井部の前後方向に設けることによりボールの回転体の回転方向への移動の規制手段とすると共に、搬送溝が凹設されていない回転体の両端の外周面より内方に上記の規制路を塞ぐ形状の閉塞板を突設し、非回転時には搬送溝が凹設されていない外周面がボール通過窓を塞ぐと共に閉塞板が搬送溝を塞ぐ回転角度で止まるように回転体の停止位置を設定した請求項１から３の何れかに記載のゴルフボール洗浄装置。
【考案の詳細な説明】
【技術分野】
【０００１】
この考案は、ゴルフボールの表面に付着した汚れをブラシの接触により除去するゴルフボール洗浄装置に関する。
【背景技術】
【０００２】
屋外で使用するゴルフボールには必然的に泥や砂、それに芝などが付着する。この場合、これらの汚れは機械的な衝撃によりゴルフボール表面に発生する熱や静電気によりディンプル内に強固にこびりつくので、ブラシなどを用いて洗浄する必要があった。
【０００３】
そのためのゴルフボール洗浄装置として、洗浄液を満たした筐体内に軸装した回転体の外周に凹設した螺旋状の搬送溝にボールを嵌入し、上記回転体の回転によりボールを搬送溝に沿って移動させながらブラシに接触させるものが従来公知であった。
【０００４】
【特許文献１】実願平５−３７８９９号（実開平７−７６６２号）のＣＤ−ＲＯＭ
【特許文献２】実願平５−５４１９８号（実開平７−１８７５２号）のＣＤ−ＲＯＭ
【特許文献３】実願昭５９−１３１９０３号（実開昭６１−４５９６５号）のマイクロフィルム
【考案の開示】
【考案が解決しようとする課題】
【０００５】
しかしながら、以上の洗浄装置は駆動に動力装置を用いる大がかりなもので、ゴルフ場においても１箇所に１台を設置することを前提としたものであり、もっと簡易な構成の低コストの洗浄装置でゴルフ場のあちこちに分散して設置できるようなものが望まれた。
【０００６】
ところで、この場合は洗浄装置を屋内でなく野外に設置することを意味し、洗浄装置内へのボールの投入口から装置内に落ち葉や枝が侵入する問題があった。
【課題を解決するための手段】
【０００７】
この考案は以上の従来技術の問題点を解消したゴルフボール洗浄装置を提供することを目的として創作されたものであり、回転体の回転方向への移動を規制されたボールを回転体の外周に凹設した螺旋状の搬送溝に嵌入し、上記回転体の回転により回転体の軸線方向に移動させることにより、搬送溝に設けたブラシの接触によりボールを洗浄するゴルフボール洗浄装置において、回転体を収容した筐体の上面に回転体の搬送溝の端部に連通する一対のボール通過窓を設けると共に、回転体の両端に位置する搬送溝の端部をその凹設深さが徐々に浅くなって回転体の外周面に達するように構成することにより、回転体の回転角度によりボール通過窓に搬送溝の端部または搬送溝が凹設されていない外周面が選択的に位置するようにし、非回転時には搬送溝が凹設されていない外周面がボール通過窓を塞ぐ回転角度で止まるように回転体の停止位置を設定したことを特徴とする。
【０００８】
また、ここでは以下の第２考案〜第４考案も開示する。
（第２考案）
この考案においては、前記の第１考案において、回転体の偏心位置に重りを設けることにより、回転体をその非回転時には搬送溝が凹設されていない外周面がボール通過窓を塞ぐ回転角度で止まるようにしていることを特徴とする。
【０００９】
（第３考案）
この考案においては、前記の第２考案において、回転体に手回しハンドルを設けると共に、上記ハンドルがその重量により垂下する位置において回転体の搬送溝が凹設されていない外周面がボール通過窓を塞ぐ回転角度で止まるよう設定していることを特徴とする。
【００１０】
（第４考案）
この考案においては、前記の各考案において、回転体の搬送溝に嵌入されたボールの頭部を覆う、内部にブラシを設けた樋状の規制路を回転体を収容した筐体の天井部の前後方向に設けることによりボールの回転体の回転方向への移動の規制手段とすると共に、搬送溝が凹設されていない回転体の両端の外周面より内方に上記の規制路を塞ぐ形状の閉塞板を突設し、非回転時には搬送溝が凹設されていない外周面がボール通過窓を塞ぐと共に閉塞板が搬送溝を塞ぐ回転角度で止まるように回転体の停止位置を設定していることを特徴とする。
【考案の効果】
【００１１】
以上の構成からなるこの考案のゴルフボール洗浄装置によれば、ボールは回転体の回転方向への移動を規制されることにより、回転体の回転方向への動きに抗して軸線方向に強制的に送出されるので搬送溝に設けたブラシの接触がより高い摩擦力をもって行われることになり、ボールと接触する回転ブラシを別途用意しなくても高い洗浄効果を得ることができる。
【００１２】
よって、この考案によればボールと接触する回転ブラシなどが不要となり、部品点数が少なくなることにより装置を小型化でき、可動部材も回転体のみなので駆動源も動力装置でなく手回しで実現でき、簡易な構成の洗浄装置を低コストで提供することが可能となる。
【００１３】
また、回転体の非回転時には搬送溝が凹設されていない外周面がボール通過窓を塞ぐ回転角度で止まるように回転体が停止するので、野外に設置したとしてもボールの投入口から装置内に落ち葉や枝が侵入することがなく、上記の低コストの洗浄装置をゴルフ場の任意の位置に分散して設置することも可能となる。
【００１４】
この場合、第２考案及び第３考案によれば、手回しハンドルの重量を利用して特別な追加部材を要せず上記の通過窓を塞ぐ効果を得られるので、製造コストを軽減することが可能となる。
【００１５】
また、第４考案によれば、ボールの回転体の回転方向への移動の規制手段としたボールの頭部を覆う樋状の規制路の内部にもブラシを設けるので、ボールの洗浄効果がより高まり、一方、回転体の非回転時には搬送溝と上記の規制路は回転体に突設した閉塞板により閉塞されるので落ち葉や枝が侵入することがない効果を得られる。
【考案を実施するための最良の形態】
【００１６】
以下、この考案のゴルフボール洗浄装置の具体的実施例を添付図面に基づいて説明する。図１〜図６は洗浄装置の全体を示す図であり、ここでは第１考案〜第４考案を同時に実施した洗浄装置を例にとっている。図中符号１は洗浄装置の筐体であり、この実施例においては容器状の筐体本体１Ａとこれに対して開閉可能に被蓋される蓋体１Ｂに分割して構成される。なお、図中符号９は筐体１を地面に立設するためのポール、８は筐体内の液体を排水するための栓である。
【００１７】
図中符号１０は前記の筐体本体１Ａ内に軸１３により回転自在に軸装される回転体である。上記回転体は本体１１の両端にエンド体１２、１２（ここではプラスチック製）を固着した構成よりなり、エンド体及び本体１１に連続した螺旋状の搬送溝Ｍが凹設され、この搬送溝内にはブラシ毛１５が植設される。上記搬送溝Ｍは回転体１０の両端に位置する搬送溝の始端Ｍ１及び終端（図示せず）をその凹設深さが徐々に浅くなって回転体の外周面に達するように構成することにより、残余の回転体の外周面に搬送溝が凹設されていない無溝部分Ｆ１（搬送溝始端側）及びＦ２（搬送溝終端側）を残すと共に、上記の前後の無溝部分Ｆ１及びＦ２を回転体上の同じ回転角度に配している。また、エンド体１２、１２の上記の無溝部分Ｆ１及びＦ２の内方に位置する端部には、後記する規制路２の開口を塞ぐ形状の閉塞板１４、１４が突設される。
【００１８】
次に蓋体１Ｂにおいては、天井部の前後方向に、筐体本体１Ａ内に軸装された回転体の前記のエンド体１２、１２の閉塞板１４、１４に挟まれる部分に対応して、回転体の搬送溝に嵌入されたボールＢの頭部を覆う樋状の規制路２が上方に向かって凹設され、この規制路内にはブラシ毛５が植設される。また、蓋体１Ｂの前後にして回転体１０の搬送溝Ｍの始端Ｍ１及び終端に対応する位置には、ボールが連通して回転体上に落下するための一対のボール通過窓３、３が設けられる。
【００１９】
以上の回転体１０は、回転角度に応じてボール通過窓３、３に搬送溝Ｍの始端Ｍ１及び終端と、搬送溝が凹設されていない無溝部分Ｆ１及びＦ２の何れかが選択的に位置する。そして、ここでは回転体１０の軸１３端に設けた手回しハンドル６の取り付け角度をその端部の回転把手７が回転体の前記の無溝部分Ｆ１及びＦ２に対して１８０度離隔した反対位置になるように設定することにより、ハンドルの重みでそれが垂下して回転体が停止している状態では無溝部分Ｆ１、Ｆ２がボール通過窓３、３を塞ぐと共に、エンド体１２、１２の閉塞板１４、１４が規制路２の開口を塞ぐ回転角度で止まるようにしている（図１、図１３参照）。なお、図中符号４、４は回転してきた閉塞板１４、１４が蓋体１Ｂの天井部を通過するためのスリットである。
【００２０】
以上の構成よりなるこの考案のゴルフボール洗浄装置の作用を図に沿って以下説明する。先ず、通常状態では図１、図４、図１３に示すようにハンドル６の重量で回転体１０はハンドルが垂下する位置で停止しており、この場合においては蓋体１Ｂのボール通過窓３、３はその直下に位置する回転体の無溝部分Ｆ１、Ｆ２により塞がれ、同時に規制路２の開口も閉塞板１４、１４に塞がれる。この状態で蓋体１Ｂ上に載置されたボールＢは傾斜を設けた誘導路を蓋体に設けることにより始端側のボール通過窓３から上記の回転体の始端側の無溝部分Ｆ１上に順次落下載置される（なお、図７も参照）。
【００２１】
ついで、ハンドル６を回転させることにより、ボールＢは搬送溝Ｍの始端Ｍ１から搬送溝Ｍに誘導され、図２、図５に示すように規制路２により回転体１０の回転方向への移動を規制されながら終端に向かって軸線方向に移動して筐体１内に進入し、この過程で搬送溝のブラシ毛１５及び規制路のブラシ毛５との接触により洗浄される（なお、図８〜図１１も参照）。
【００２２】
以上の過程により、搬送溝Ｍの終端に達したボールＢはそのまま回転体の無溝部分Ｆ２に押し上げられ、図３、図６に示すように終端側のボール通過窓３から蓋体１Ｂ上に上昇する。この状態でボールＢは傾斜を設けた誘導路を蓋体に設けることにより洗浄済のボールが蓋体上に順次押し出されてストックされる。
【図面の簡単な説明】
【００２３】
【図１】ゴルフボール洗浄装置の一部切り欠き正面図。
【図２】同上、ゴルフボールの搬送状態を示す一部切り欠き背面図。
【図３】同上、ゴルフボールの搬送状態を示す一部切り欠き正面図。
【図４】同上、平面図。
【図５】同上、ゴルフボールの搬送状態を示す平面図。
【図６】同上、ゴルフボールの搬送状態を示す平面図。
【図７】図１のＡ−Ａ線方向から観察した回転体の断面図。
【図８】図１のＡ−Ａ線方向から観察した回転体の回転状態を示す断面図。
【図９】図１のＡ−Ａ線方向から観察した回転体の回転状態を示す断面図。
【図１０】図１のＡ−Ａ線方向から観察した回転体の回転状態を示す断面図。
【図１１】図１のＡ−Ａ線方向から観察した回転体の回転状態を示す断面図。
【図１２】ゴルフボール洗浄装置のハンドルが上昇した状態を示す一部切り欠き左側面図。
【図１３】ゴルフボール洗浄装置のハンドルが下降した状態を示す一部切り欠き左側面図。
【符号の説明】
【００２４】
Ｂ      ボール
Ｍ      搬送溝
Ｍ１    搬送溝の始端
Ｆ１    （搬送溝の始端側の）無溝部分
Ｆ２    （搬送溝の終端側の）無溝部分
１      筐体。
２      規制路。
３      ボール通過窓
５      ブラシ毛
６      ハンドル
１０    回転体
１５    ブラシ毛
【図１】
0003128865.tif 000003
【図２】
0003128865.tif 000004
【図３】
0003128865.tif 000005
【図４】
0003128865.tif 000006
【図５】
0003128865.tif 000007
【図６】
0003128865.tif 000008
【図７】
0003128865.tif 000009
【図８】
0003128865.tif 000010
【図９】
0003128865.tif 000011
【図１０】
0003128865.tif 000012
【図１１】
0003128865.tif 000013
【図１２】
0003128865.tif 000014
【図１３】
0003128865.tif 000015